(57)【要約】【課題】この発明は、特殊なドロワコネクタを用いることなく、中間トレイユニットを引き出す際に電装部品が破損するといったことを回避できるフィニッシャーを提供することを目的とする。【解決手段】フィニッシャー本体には、外部から第１の電源と第２の電源とが供給されており、第１の電源は、開閉扉が開けられたときにオフとなるスイッチおよび第１のドロワコネクタを介して中間トレイユニット内に供給され、第２の電源はスイッチング素子および第２のドロワコネクタを介して中間トレイユニット内に供給されており、スイッチング素子の制御端子には第１の電源が上記スイッチを介して供給されており、上記スイッチがオンのときにはスイッチング素子がオンとなり、上記スイッチがオフのときにはスイッチング素子がオフとなる。【選択図】  図３
2004198491.tif 000002
【特許請求の範囲】
【請求項１】
フィニッシャー本体内に設けられた後処理を行う中間トレイユニットと、フィニッシャー本体に設けられた開閉扉とを備えており、中間トレイユニットは開閉扉が開けられた状態において引出し可能にフィニッシャー本体内に収納されているフィニッシャーにおいて、
フィニッシャー本体には、外部から第１の電源と第２の電源とが供給されており、第１の電源は、開閉扉が開けられたときにオフとなるスイッチおよび第１のドロワコネクタを介して中間トレイユニット内に供給され、第２の電源はスイッチング素子および第２のドロワコネクタを介して中間トレイユニット内に供給されており、スイッチング素子の制御端子には第１の電源が上記スイッチを介して供給されており、上記スイッチがオンのときにはスイッチング素子がオンとなり、上記スイッチがオフのときにはスイッチング素子がオフとなることを特徴とするフィニッシャーにおける中間トレイユニットへの電源供給回路。
【請求項２】
フィニッシャー本体内に設けられた後処理を行う中間トレイユニットと、フィニッシャー本体に設けられた開閉扉とを備えており、中間トレイユニットは開閉扉が開けられた状態において引出し可能にフィニッシャー本体内に収納されているフィニッシャーにおいて、
フィニッシャー本体には、外部から第１の電源と第２の電源とが供給されており、第１の電源は、フィニッシャー内でＪＡＭが発生した際にオフとなる第１スイッチ、開閉扉が開けられたときにオフとなる第２スイッチおよび第１のドロワコネクタを介して中間トレイユニット内に供給され、第２の電源はスイッチング素子および第２のドロワコネクタを介して中間トレイユニット内に供給されており、スイッチング素子の制御端子には第１の電源が上記第１スイッチおよび上記第２スイッチを介して供給されており、上記第１スイッチおよび上記第２スイッチが共にオンのときにはスイッチング素子がオンとなり、上記第１スイッチおよび上記第２スイッチの少なくとも一方がオフのときにはスイッチング素子がオフとなることを特徴とするフィニッシャーにおける中間トレイユニットへの電源供給回路。
【発明の詳細な説明】
【０００１】
【産業上の利用分野】
この発明は、複写機、プリンタ等の画像形成装置によって画像形成が行われた用紙に対して、ステイプル、パンチ等の後処理を行うためのフィニッシャーにおける中間トレイユニットへの電源供給回路に関する。
【０００２】
【従来の技術】
フィニッシャーは、複写機等の画像形成装置によって排出された用紙を一時的にストックしてステイプル等の後処理を行う中間トレイユニットと、後処理が行われた用紙を持ち上げて排出トレイに排出するリフターを備えている。
【０００３】
図１は、複写機に併設されたフィニッシャーを示している。
【０００４】
１０は複写機であり、２０はフィニッシャーである。フィニッシャー２０の前面には、開閉扉２１が設けられている。フィニッシャー２０内には、中間トレイユニット２２が開閉扉２１が開けられた状態において引き出し可能に収納されている。
【０００５】
中間トレイユニット２２とフィニッシャー本体側とは、電気的には、中間トレイユニット２２側に固定されたユニット側コネクタとフィニッシャー本体側に固定された本体側コネクタとからなるドロワコネクタにより接続されており、中間トレイユニット２２がフィニッシャー本体内の収納位置に押し込まれたときに、ユニット側コネクタと本体側コネクタとが結合せしめられる。中間トレイユニット２２がフィニッシャー本体から引き出された場合には、ユニット側コネクタと本体側コネクタとが切り離される。
【０００６】
図２は、フィニッシャー内に設けられた電源供給回路を示している。
【０００７】
複写機１０からフィニッシャー２０には、２４Ｖ電源（第１の電源）と５Ｖとの電源（第２の電源）が供給されている。フィニッシャー２０内に供給された２４Ｖの電源は、フィニッシャー２０内でＪＡＭが発生したときにオフとなる接点（スイッチ）１０１、開閉扉２１が開けられたときにオフとなるスイッチ１０２を介して、フィニッシャー２０の内部に供給されている。また、フィニッシャー２０内に供給された２４Ｖの電源は、上記接点１０１、上記スイッチ１０２および第１のドロワコネクタ１２０を介して、中間トレイユニット２２の内部に供給されている。第１のドロワコネクタ１２０は、フィニッシャー本体側に固定された第１の本体側コネクタ１２０ａと中間トレイユニット２２側に固定された第１のユニット側コネクタ１２０ｂとからなる。
【０００８】
フィニッシャー２０内に供給された５Ｖの電源は、そのままフィニッシャー２０の内部に供給されているとともに、第２のドロワコネクタ１３０を介して、中間トレイユニット２２の内部に供給されている。第２のドロワコネクタ１３０は、フィニッシャー本体側に固定された第２の本体側コネクタ１３０ａと中間トレイユニット２２側に固定された第２のユニット側コネクタ１３０ｂとからなる。
【０００９】
フィニッシャー２０内でＪＡＭが発生したときには接点１０１がオフとなる。また、開閉扉２１が開けられたときにはスイッチ１０２がオフとなる。したがって、ＪＡＭが発生したときまたは開閉扉２１が開けられたときには、第１のドロワコネクタ１２０には、２４Ｖの電源は供給されない状態となる。しかしながら、このようなときでも、５Ｖの電源は第２のドロワコネクタ１３０に供給された状態となる。
【００１０】
このため、中間トレイユニット２２を引き出す際には、５Ｖが活線の状態で、第２のドロワコネクタ１３０を構成する本体側コネクタ１３０ａとユニット側コネクタ１３０ｂが切り離されるので、それらが切り離される際に大きな電流が流れ、電装部品が破損するおそれがあった。
【００１１】
そこで、第２のドロワコネクタとして、特開平６−１５１０１８号公報に示されているように、ドロワコネクタを構成する２つのコネクタが結合される時にはＧＮＤ端子が他の端子より先に接触し、切り離し時には逆の順に両コネクタが切り離されるといった特殊なものが使用されることがある。しかしながら、このような特殊なドロワコネクタでは、接触部の接触不良がおこりやすくなるとともに、複数種類の接触子が必要となるといった問題がある。
【００１２】
【特許文献】特開平６−１５１０１８号公報
【００１３】
【発明が解決しようとする課題】
この発明は、特殊なドロワコネクタを用いることなく、中間トレイユニットを引き出す際に電装部品が破損するといったことを回避できるフィニッシャーを提供することを目的とする。
【００１４】
【課題を解決するための手段】
この発明による請求項１に記載の発明は、フィニッシャー本体内に設けられた後処理を行う中間トレイユニットと、フィニッシャー本体に設けられた開閉扉とを備えており、中間トレイユニットは開閉扉が開けられた状態において引出し可能にフィニッシャー本体内に収納されているフィニッシャーにおいて、フィニッシャー本体には、外部から第１の電源と第２の電源とが供給されており、第１の電源は、開閉扉が開けられたときにオフとなるスイッチおよび第１のドロワコネクタを介して中間トレイユニット内に供給され、第２の電源はスイッチング素子および第２のドロワコネクタを介して中間トレイユニット内に供給されており、スイッチング素子の制御端子には第１の電源が上記スイッチを介して供給されており、上記スイッチがオンのときにはスイッチング素子がオンとなり、上記スイッチがオフのときにはスイッチング素子がオフとなることを特徴とする。
【００１５】
この発明による請求項２に記載の発明は、フィニッシャー本体内に設けられた後処理を行う中間トレイユニットと、フィニッシャー本体に設けられた開閉扉とを備えており、中間トレイユニットは開閉扉が開けられた状態において引出し可能にフィニッシャー本体内に収納されているフィニッシャーにおいて、フィニッシャー本体には、外部から第１の電源と第２の電源とが供給されており、第１の電源は、フィニッシャー内でＪＡＭが発生した際にオフとなる第１スイッチ、開閉扉が開けられたときにオフとなる第２スイッチおよび第１のドロワコネクタを介して中間トレイユニット内に供給され、第２の電源はスイッチング素子および第２のドロワコネクタを介して中間トレイユニット内に供給されており、スイッチング素子の制御端子には第１の電源が上記第１スイッチおよび上記第２スイッチを介して供給されており、上記第１スイッチおよび上記第２スイッチが共にオンのときにはスイッチング素子がオンとなり、上記第１スイッチおよび上記第２スイッチの少なくとも一方がオフのときにはスイッチング素子がオフとなることを特徴とする。
【００１６】
【発明の実施の形態】
以下、この発明の実施の形態について説明する。
【００１７】
図１に示すように、複写機１０にフィニッシャー２０が併設されている。フィニッシャー２０の前面には、開閉扉２１が設けられている。フィニッシャー２０内には、中間トレイユニット２２が開閉扉２１が開けられた状態において引き出し可能に収納されている。中間トレイユニット２２とフィニッシャー本体側とは、電気的には、中間トレイユニット２２側に固定されたユニット側コネクタとフィニッシャー本体側に固定された本体側コネクタとからなるドロワコネクタにより接続されており、中間トレイユニット２２がフィニッシャー本体内の収納位置に押し込まれたときに、ユニット側コネクタと本体側コネクタとが結合せしめられる。中間トレイユニット２２がフィニッシャー本体から引き出された場合には、ユニット側コネクタと本体側コネクタとが切り離される。
【００１８】
図３は、フィニッシャー内に設けられた電源供給回路を示している。
【００１９】
複写機１０からフィニッシャー２０には、２４Ｖの電源（第１の電源）と５Ｖとの電源（第２の電源）が供給されている。フィニッシャー２０内に供給された２４Ｖの電源は、フィニッシャー２０内でＪＡＭが発生したときにオフとなる接点（スイッチ）１０１、開閉扉２１が開けられたときにオフとなるスイッチ１０２を介して、フィニッシャー２０の内部に供給されている。また、フィニッシャー２０内に供給された２４Ｖの電源は、上記接点１０１、上記スイッチ１０２および第１のドロワコネクタ１２０を介して、中間トレイユニット２２の内部に供給されている。第１のドロワコネクタ１２０は、フィニッシャー本体側に固定された第１の本体側コネクタ１２０ａと中間トレイユニット２２側に固定された第１のユニット側コネクタ１２０ｂとからなる。
【００２０】
フィニッシャー２０内に供給された５Ｖの電源は、そのままフィニッシャー２０の内部に供給されているとともに、スイッチングトランジスタ１０３および第２のドロワコネクタ１３０を介して、中間トレイユニット２２の内部に供給されている。第２のドロワコネクタ１３０は、フィニッシャー本体側に固定された第２の本体側コネクタ１３０ａと中間トレイユニット２２側に固定された第２のユニット側コネクタ１３０ｂとからなる。スイッチングトランジスタ１０３は、フィニッシャー本体に固定されている制御基板１４０上に装着されている。
【００２１】
スイッチングトランジスタ１０３のベースには、２４Ｖの電源が上記接点１０１および上記スイッチ１０２を介して供給されている。したがって、上記接点１０１および上記スイッチ１０２が共にオンとなっている場合には、スイッチングトランジスタ１０３はオンとなる。上記接点１０１および上記スイッチ１０２の少なくとも一方がオフとなっている場合には、スイッチングトランジスタ１０３はオフとなる。
【００２２】
ＪＡＭが発生したときには接点１０１がオフとなる。また、開閉扉２１が開けられたときにはスイッチ１０２がオフとなる。したがって、ＪＡＭが発生したときまたは開閉扉２１が開けられたときには、フィニッシャー２０の内部および第１のドロワコネクタ１２０には、２４Ｖの電源は供給されない状態となる。
【００２３】
また、ＪＡＭが発生したときまたは開閉扉２１が開けられたときには、スイッチングトランジスタ１０３がオフとなるため、第２のドロワコネクタ１３０には、５Ｖの電源も供給されなくなる。このため、開閉扉２１を開けた状態において中間トレイユニット２２を引き出す際には、第２のドロワコネクタ１３０に電源が供給されていない状態で第２のドロワコネクタ１３０を構成する２つのコネクタ１３０ａ、１３０ｂが切り離されるので、これらのコネクタ１３０ａ、１３０ｂが切り離される際に大きな電流が流れるとったことがなく、電装部品が破損するといったことが回避される。
【００２４】
第１のドロワコネクタ１２０と第２のドロワコネクタ１３０としては、その本体側コネクタどうしが一体的に形成されているとともに、そのユニット側コネクタどうしが一体的に形成されているものを用いてもよい。
【００２５】
【発明の効果】
この発明によれば、特殊なドロワコネクタを用いることなく、中間トレイユニットを引き出す際に電装部品が破損するといったことを回避できるようになる。
【図面の簡単な説明】
【図１】複写機に併設されたフィニッシャーを示す外観図である。
【図２】フィニッシャー内に設けられた従来の電源供給回路を示す電気回路図である。
【図３】本発明の実施の形態である電源供給回路を示す電気回路図である。
【符号の説明】
１０  複写機
２０  フィニッシャー
２１  開閉扉
２２  中間トレイユニット
１０１  接点
１０２  スイッチ
１０３  スイッチングトランジスタ
１２０、１３０  ドロワコネクタ
【図１】
2004198491.tif 000003
【図２】
2004198491.tif 000004
【図３】
2004198491.tif 000005